(57)【要約】【課題】  メダル投入口からセル板などの異物を挿入する不正行為を防止する。【解決手段】  第１通路３７の側板３５、３６にそれぞれ開口３５ａ、３６ａを形成する。第１通路３７の底板３７に円弧状の切り欠き３４ａを形成する。第１通路３７の天板に挿通穴を２つ形成する。羽根車５０を、回転軸５０ａ、羽根５０ｂ、及びフランジ５０ｃとから構成された羽根車５０と、この羽根車５１と同様の構成をした羽根車５１とを第１通路３７に並設する。フランジ５０ｃ、５１ｃは、それぞれの上面が底板３４の上面と同一面となるように切り欠き３４ａに配置される。回転軸５０ａ、５１ａの一端は、第１通路３７の天板に形成された挿通穴に挿通される。他端は、羽根５０ｂ、５１ｂが第１通路３７の上方から流下するメダル３０の押圧を受けた際、羽根５０ｂ、５１ｂが同期して回転するように底板３４の裏側に設けられた歯車ユニットに連結される。【選択図】        図２
2005118302.tif 000002
【特許請求の範囲】
【請求項１】
メダルが投入されるメダル投入口と、このメダル投入口から投入されたメダルを検出するメダル検出装置との間に設けられたメダル通路に、軸を中心にして予め定められた方向に回転する羽根を備えた羽根車を設け、
前記羽根の予め定めされた方向とは逆方向の回転を阻止する逆回転阻止手段を設けたことを特徴とする遊技機。
【請求項２】
前記羽根は、前記メダル投入口から投入されたメダルに押圧されて回転することを特徴とする請求項１記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に所定枚数のメダルを投入することで遊技を行うことが可能となる。メダル投入口から投入されたメダルは、メダル投入口から払出し装置であるホッパー装置にかけて設けられたメダル通路を流下して、ホッパー装置に設けられた貯留タンクに貯留される。メダル通路の途中には投光部と受光部とを備えたフォトセンサが設けられている。このフォトセンサによってメダル通路を通過するメダルが検出され１枚毎にカウントされる。例えば、メダルが通過するときは投光部から投光された光がメダルにより一時的に遮断される。光が遮断されている時間はタイマー回路により測定されており、メダルが所定時間内に通過した場合には、メダルがメダル通路を正常に通過したと判断され、所定時間以上光が遮断されている場合には異常であると判断される。
【発明の開示】
【発明が解決しようとする課題】
【０００３】
ところで、パチスロ機のメダル通路には障害物がないため、メダル投入口から異物を挿入し、その異物をフォトセンサの位置まで容易に進入させることができた。例えばその異物がメダルの幅や厚みとほぼ同じ大きさに形成され、且つ表面に光を遮断する遮光膜が貼り付けられたセル板（セルロイドを板状に形成したもの）である場合、このセル板をフォトセンサの部分を素早く通過させ、投光部から発光される光を一時的に遮断することで、フォトセンサの部分を正規にメダルが通過した場合と同様に検出させるという不正が行われてしまう。
【０００４】
本発明は上記事情を考慮してなされたもので、メダル投入口からセル板などの異物を挿入し、メダルを誤検出させる不正行為を防止することができるようにした遊技機を提供することを目的とする。
【課題を解決するための手段】
【０００５】
上記目的を達成するために、本発明の遊技機は、メダルが投入されるメダル投入口と、このメダル投入口から投入されたメダルを検出するメダル検出装置との間に設けられたメダル通路に、軸を中心にして予め定められた方向に回転する羽根を備えた羽根車を設け、
前記羽根の予め定めされた方向とは逆方向の回転を阻止する逆回転阻止手段を設けたことを特徴とする。
【０００６】
また、前記羽根は、前記メダル投入口から投入されたメダルに押圧されて回転することが好ましい。
【発明の効果】
【０００７】
本発明の遊技機は、メダルが投入されるメダル投入口と、このメダル投入口から投入されたメダルを検出するメダル検出装置との間に設けられたメダル通路に、軸を中心にして予め定められた方向に回転する羽根を備えた羽根車を設け、前記羽根の予め定めされた方向とは逆方向の回転を阻止する逆回転阻止手段を設けたので、メダル投入口からセル板などの異物を差し込んだ場合、その異物の進入を羽根によって抑止することができる。また、仮に異物が進入されたとしても異物の離脱を羽根によって阻止することができ、一旦挿入した異物の抜き取りを困難にすることができる。これによりメダルを誤検出させる不正行為を確実に防止することができる。
【０００８】
また、前記羽根は、前記メダル投入口から投入されたメダルに押圧されて回転するので、簡単な構造でセル板などの異物の挿入を阻止し、正規のメダルのみを通過させることができる。
【発明を実施するための最良の形態】
【０００９】
図１に示すように、スロットマシン２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ，第２リール７ｂ，第３リール７ｃが配置される。周知のように、第１〜第３リール７ａ〜７ｃの外周には様々な図柄が一定ピッチで配列され、リールが停止した状態では対応する表示窓６を通して１リール当たり３個の図柄が観察される。これにより、各リールの図柄を１個ずつ組み合わせた直線状の入賞ラインが横３本斜め２本の合計５本設定されている。第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしてもよい。
【００１０】
表示窓６の下方にはエラー表示窓９が設けられている。エラー表示窓９の奥には、エラー表示窓９を通してエラーコードを表示させるエラーコード表示装置（不図示）が設けられている。このように、機械動作、遊技動作に異常がある場合等には、エラー表示窓９を通して異常に応じたエラーコードが表示されるようになっている。
また、上部前面扉４の上部左右にはそれぞれ、遊技の際の演出用の音声を発生させるスピーカ１０が、上部前面扉４の上部の中央にはランプ１１が設けられている。
【００１１】
下部前面扉５の上部には、遊技を行う際にメダル３０（図２参照）を投入するためのメダル投入口１２が設けられている。また、遊技の開始時に操作される１枚ベットボタン１３、ＭＡＸベットボタン１４、ペイアウトボタン１５などの各種の操作ボタンが設けられる。なお、これらの操作ボタンの機能はいずれも周知であるので、その詳細については省略する。また、これら操作ボタンの下部には、メダルベットが行われた後に操作されるスタートレバー１６や、スタートレバー１６の操作により回転するリールを停止させる第１〜第３ストップボタン１７〜１９等が設けられる。
【００１２】
下部前面扉５の下方には、メダル受け皿２０が設けられている。メダル投入口１２に投入されたメダル３０のうち不適正なメダル３０（例えば大きさが正規のメダル３０とは異なるもの）は、後述するメダル検出装置によって検出され、メダル払出口２１を介してメダル受け皿２０に排出される。
【００１３】
メダル３０が４枚以上に投入された場合は、４枚目からのメダル３０は図示しないメダルセンサで検知され、５０枚を限度にスロットマシン２の内部に貯留される。なお、貯留されたメダル３０の枚数は、クレジット枚数表示器２２でデジタル表示される。このクレジット機能を用いているときには、前述した１枚ベットボタン１３やＭＡＸベットボタン１４の操作によりメダル３０の投入操作が行われ、そのベット枚数がクレジット枚数から逐次に減算される。また、遊技の結果、入賞が得られたときには配当となるメダル３０もクレジットされ、ペイアウトボタン１５を操作したときにクレジットされているメダル３０がメダル受け皿２０に払い出される。
【００１４】
次にスロットマシン２の内部に設けられたメダル通路２７について説明する。図２に示すように、メダル通路２７は、メダル投入口１２から真下に向けて直線状に形成された案内通路２８と、広角Ｌ字状に屈曲したメダル通路本体２９とから構成されている。
案内通路２８は、メダル投入口１２から投入されたメダル３０を真下に排出するためのものであり、案内通路２８は図示しない天板、底板、及びその天板と底板に連なる２つの側板３１、３２とから構成されている。天板と底板とが互いに平行となるように、また、天板及び底板に連なる２つの側板３１、３２が互いに平行になるように形成され、これにより案内通路２８は、その断面が矩形状に形成される空間となっている。その高さはメダル３０の厚さよりも僅かに大きく設定され、案内通路２８の幅はメダル３０の直径よりも僅かに大きく設定されている。
【００１５】
メダル通路本体２９は、その上端に形成された開口２９ａが案内通路２８の下端部に形成された排出口２８ａに連通し、その下端部が図示しないホッパー装置に連通している。メダル通路本体２９は、案内通路２８と同様に、天板３３と底板３４とが互いに平行となるように、また、天板３３及び底板３４に連なる２つの側板３５，３６が互いに平行になるように形成され、これによりメダル通路本体２９は、その断面が矩形状に形成される空間となっている（図４参照）。また、メダル通路本体２９はメダル３０の厚さ及び幅よりも一回り大きく形成され、メダル１枚が通過可能となるように形成されている。
【００１６】
メダル通路本体２９は、案内通路２８の排出口２８ａから真下に向けて直線状に形成された第１通路３７と、この第１通路３７の下端部からホッパー装置にかけて下り傾斜した第２通路３８とから構成されている。第１通路３７の天板３３の左右両側部には、後述する羽根車５０の回転軸５０ａ、及び羽根車５１の回転軸５１ａのそれぞれ上端部が挿通される挿通穴３３ａが形成されている（図４参照）。第１通路３７の側板３５には、羽根車５０の回転軸５０ａを軸にして回転している羽根５０ｂを通過可能にする開口３５ａが形成されている（図３及び図４参照）。同様に、側板３６にも開口３６ａが形成されている。第１通路３７の底板３４には、第１通路３７を横に２分する中心線４０を軸にして対称になるように、円弧状の切り欠き３４ａが２つ形成されている。
【００１７】
図２〜４に示すように、第１通路には羽根車５０、５１が並設されている。羽根車５０、５１は、中心線４０を軸にして対称に配置されている。
図３に示すように、羽根車５０は、回転軸５０ａ、羽根５０ｂ、及びフランジ５０ｃとから構成されている。この羽根車５０は樹脂によって成形した成形品であり、回転軸５０ａ、羽根５０ｂ、及びフランジ５０ｃは一体に成形されている。
回転軸５０ａは円柱形状に形成されている。また、回転軸５０ａとフランジ５０ｃとは、回転軸５０ａが円盤状のフランジ５０ｃの中心を貫くように形成されており、フランジ５０ｃの上面から上方へ突出している回転軸５０ｃの側周面には、周方向に沿って等間隔に４枚の板状の羽根５０ｂが形成されている。また、羽根５０ｂは回転軸５０ａの側周面からフランジ５０ｃの縁にかけて形成されており、羽根５０ｂとフランジ５０ｃとは一体に形成されている。
【００１８】
回転軸５０ａの一端は、羽根５０ｂの軸方向の高さよりも上方にやや突出しており、第１通路３７の天板３３の挿通穴３３ａに挿通される。他端は、第１通路３７の裏側に設けられている歯車５７の軸受け５７ａ（図６参照）に固着される。フランジ５０ｃは、フランジ５０ｃの上面と、第１通路３７の底板３４の上面とが同一面になるように切り欠き３４ａに配置される。
【００１９】
羽根５０ｂの軸方向の長さは、底板３４の上面から天板３３の下面までの距離ｔ（図４参照）よりも僅かに小さく設計されている。また、羽根５０ｂの回転軸５０ａからの長さｈ（図２参照）は、第１通路３７の幅をｗ（図２参照）とすると、第１通路３７内において羽根車５０の羽根５０ｂと、羽根車５１の羽根５１ｂが干渉せずに回転することができるように、ｗ／２よりも僅かに小さく設計されている。また、メダル投入口１２から投入されたメダル３０が、羽根車５０の羽根５０ｂと、羽根車５１の羽根５１ｂとが回転した際に、平面視扇状の空間を形成する羽根５０ｂと、羽根５１ｂとで挟み込まれないようにするために、長さｈは、メダル３０の直径をφ（図４参照）とすると、ｈ＜（√２／２）×φの関係式を満たすように設計されている。
羽根車５１については羽根車５０と同様の構成をしているので説明を省略する。なお、図中の符号５１ａ、５１ｂ、５１ｃは、順に、回動軸、羽根、フランジを示す。
【００２０】
図５に示すように、第１通路３７の底板３４の裏側には、歯車ユニット５５、回動片５６が設けられている。歯車ユニット５５は、歯車５７〜６０で構成され、歯車５７は歯車５８、５９を介して歯車６０に連結されている。羽根車５０の回転軸５０ａは、歯車５７の軸受け５７ａに連結されている。同様に、羽根車５１の回転軸５１ａは、歯車６０の軸受け６０ａに連結されている。これにより、案内通路２８から排出されたメダル３０が羽根車５０の羽根５０ｂ、及び羽根車５１の羽根５１ｂに衝突した場合、羽根車５０の羽根５０ｂと、羽根車５１の羽根５１ｂとは同期して回転する。
【００２１】
歯車６０の側方には回動片５６が設けられている。回動片５６は、係止爪５６ａ、アーム部５６ｂ、及び軸部５６ｃとから構成されている。回動片５６の一端には傾斜部５６ｄを有する係止爪５６ａが形成されている。他端には軸部５６ｃが形成され、筺体３に回動自在に軸着されている。係止爪５６ａと軸部５６ｃとをつなぐアーム部５６ｂには引っ張りコイルバネ６１が設けられている。引っ張りコイルバネ６１の一端はアーム部５６ｂに固着され、他端は筺体３に取り付けられている。回動片５６は引っ張りコイルバネ６１によって図中矢印方向に付勢され、係止爪５６ａが歯溝６０ｂに嵌合される。歯車６０が円弧矢印方向に回転すると、係止爪５６ａの傾斜部５６ｄが歯車６０の歯に摺接し、係止爪５６ａが歯車６０の歯丈分だけ持ち上げられる（図中２点鎖線を参照）。そして係止爪５６ａは歯車６０の回転に伴い、再び歯溝６０ｂに嵌合される。歯車６０を逆回転させようとする方向（円弧矢印方向とは逆の方向）に力が働いている場合には、係止爪５６ａが歯溝６０ｂに食い込み歯車６０の逆回転、つまり羽根車５０の羽根５０ｂ、及び羽根車５１の羽根５１ｂの逆回転が阻止される。このように、逆回転阻止手段は歯溝６０ｂと係止爪５６ａとから構成される。
【００２２】
図２に示すように、第２通路の側板３６には、メダル検出装置６５が設けられている。メダル検出装置６５はメダル３０を検出してメダル検出信号を出力するものであり、たとえば、一対の投光素子および受光素子を備えたフォトセンサから構成される。メダル検出装置６５から出力されるメダル検出信号は、たとえばマイクロコンピュータからなる制御回路６６に出力される。制御回路６６は、メダル検出装置６５からのメダル検出信号に基づいて、メダル投入口１２から投入されたメダル３０の枚数をカウントする。また、制御回路６６は、メダル検出装置６５からのメダル検出信号に基づいて、メダル通路本体２９におけるメダル詰まりを検出する。なお、メダル検出装置６５は、フォトセンサなどの非接触式のセンサに限らず、接触式のマイクロスイッチなどを使用しても良い。
【００２３】
次に、上記のように構成されているスロットマシン２の作用について説明する。スロットマシン２の前面のメダル投入口１２からメダル３０が投入されると、メダル３０は自由落下して案内通路２８を通り、案内通路２８の排出口２８ａから下方に排出される。メダル３０は、第１通路３７内を中心線４０に沿って流下して、図６に示すように、やがて羽根車５０、５１の位置に到達する。図７に示すように、羽根車５０の羽根５０ｂ、及び羽根車５１の羽根５１ｂは、第１通路３７の上方から流下してきたメダル３０による押圧を受け、それぞれの回転軸５０ａ、５１ａを中心にして図中の円弧矢印方向に回転する。羽根５０ｂ、５１ｂが回転することによって、図８に示すように、メダル３０は第２通路３８に向けて排出される。
【００２４】
図９に示すように、メダル３０とほぼ同じ幅と厚みを有するセル板６７をメダル投入口からメダル通路２７内に挿入した場合、図１０に示すように、セル板６７は羽根車５０の羽根５０ｂと、羽根車５１の羽根５１ｂとによって挟まれる。これにより、セル板６７の第２通路３８への進入が阻止される。つまり、セル板６７をメダル検出装置６５まで到達させないようにすることができる。
【００２５】
また、羽根５０ｂ、５１ｂで挟まれたセル板６７を更に奥へ押し込んだ後に、セル板６７を引き抜こうとした場合、羽根５０ｂ、５１ｂには、羽根５０ｂ、５１ｂを反対方向（図中の円弧矢印とは反対方向）に回転させようとする力が働くので、回動片５６の係止爪５６ａが、羽根車５１に連結されている歯車６０の歯溝６０ｂに食い込み、羽根５０ｂ、５１ｂの逆回転が阻止される。これにより羽根５０ｂ、５１ｂに挟まっているセル板６７を引き抜くことがより一層困難になる。このような構成にすることで、セル板６７を挿脱させる動作を規制することができ、セル板６７をメダル検出装置６５に到達させることをより確実に防止することができる。
【００２６】
上記実施形態では、羽根車５０の羽根５０ｂ、及び羽根車５１の羽根５１ｂはそれぞれ４枚構成されているが、これに限ることなく、羽根車５０、５１の羽根の枚数は適宜に変更して良い。この場合、羽根５０ｂの長さｈの値は羽根５０ｂの枚数によって変化するため、羽根５０ｂの枚数に応じたｈの値を算出し、その算出値に基づいて羽根５０ｂの長さｈを決定することが好ましい。
【００２７】
上記実施形態では、羽根車を２個設けたが、これに限ることなく、羽根車の設置数は１個でも良い。この場合、例えば、第１通路３７の片方の側板に羽根車を設け、羽根車の羽根の短辺方向の長さを、第１通路３７において羽根が回転可能となるように、つまり、第１通路３７の幅ｗよりも僅かに小さくなるように設定すれば良い。
【図面の簡単な説明】
【００２８】
【図１】スロットマシンの外観を示す斜視図である。
【図２】メダル通路の構成を示す断面図である。
【図３】羽根車、及び第１通路の一部を示す斜視図である。
【図４】第１通路を示すＡ−Ａ’断面図である。
【図５】第１通路の底板の裏側に設けられた歯車ユニットとその周辺の構成を示す説明図である。
【図６】羽根車の羽根にメダルが当たる直前のメダル通路の様子を示す断面図である。
【図７】羽根車の羽根がメダルによって押圧されている時のメダル通路の様子示す断面図である。
【図８】羽根車からメダルが排出される時のメダル通路の様子示す断面図である。
【図９】メダル投入口からメダル通路にセル板を挿入した時のメダル通路の様子を示す断面図である。
【図１０】セル板が羽根車の羽根に挟まっている時のメダル通路の様子を示す断面図である。
【符号の説明】
【００２９】
２    スロットマシン（遊技機）
１２    メダル投入口
２７    メダル通路
３０    メダル
５０、５１    羽根車
５０ａ、５０ｂ    回転軸（軸）
５１ｂ、５１ｂ    羽根
６０ｂ    歯溝
５６ａ    係止爪
６５    メダル検出装置
【図１】
2005118302.tif 000003
【図２】
2005118302.tif 000004
【図３】
2005118302.tif 000005
【図４】
2005118302.tif 000006
【図５】
2005118302.tif 000007
【図６】
2005118302.tif 000008
【図７】
2005118302.tif 000009
【図８】
2005118302.tif 000010
【図９】
2005118302.tif 000011
【図１０】
2005118302.tif 000012